(57)【要約】【課題】  １つの動画の中間部分を簡単に消去することが出来る動画再生装置を提供する。【解決手段】  本発明に係る動画再生装置は、ＬＣＤ７と、メモリカード８に記録されている動画を再生してＬＣＤ７に表示する信号処理回路５とを具えている。該信号処理回路５は、１つの動画を構成する複数枚の静止画像を複数の画像群に分けて、画像群毎に１枚の静止画像のサムネイルを作成し、作成した複数枚のサムネイルをＬＣＤ７に表示する。そして、ユーザによりサムネイル選択操作が行なわれたとき、１つの動画を構成する複数の画像群の中から、選択された１或いは複数枚のサムネイルに応じた１或いは複数の画像群を特定し、特定した１或いは複数の画像群に属する複数枚の静止画像を消去する。【選択図】      図１
2005167640.tif 000002
【特許請求の範囲】
【請求項１】
記録媒体に記録されている動画を再生して画像表示装置に表示する画像処理回路を具えた動画再生装置において、該画像処理回路は、
１つの動画を構成する複数枚の静止画像を複数の画像群に分けて、画像群毎に１枚の静止画像のサムネイルを作成し、作成した複数枚のサムネイルを画像表示装置に表示するサムネイル表示手段と、
前記複数枚のサムネイルが画像表示装置に表示されている状態でサムネイル選択操作が行なわれたとき、前記複数の画像群の中から、選択された１或いは複数枚のサムネイルに応じた１或いは複数の画像群を特定する画像群特定手段と、
前記１つの動画を構成する複数枚の静止画像から、特定された１或いは複数の画像群に属する複数枚の静止画像を消去する消去手段
とを具えていることを特徴とする動画再生装置。
【請求項２】
前記消去手段は、消去動作として、１つの動画を構成する複数の画像群の内、前記特定された１或いは複数の画像群を除く他の１或いは複数の画像群から１つの動画ファイルを作成して記録媒体に記録する請求項１に記載の動画再生装置。
【請求項３】
前記消去手段は、消去動作として、１つの動画を構成する複数の画像群の内、前記特定された１或いは複数の画像群を除く他の複数の画像群を、前記特定された画像群の数及び１つの動画における位置に応じて複数のブロックに分け、ブロック毎に１つの動画ファイルを作成して記録媒体に記録する請求項１に記載の動画再生装置。
【請求項４】
前記消去手段は、ユーザにより１つの動画ファイルを作成するための操作が行なわれたとき、消去動作として、１つの動画を構成する複数の画像群の内、前記特定された１或いは複数の画像群を除く他の１或いは複数の画像群から１つの動画ファイルを作成して記録媒体に記録する一方、ユーザにより複数の動画ファイルを作成するための操作が行なわれたときには、前記特定された１或いは複数の画像群を除く他の複数の画像群を、前記特定された画像群の数及び１つの動画における位置に応じて複数のブロックに分け、ブロック毎に１つの動画ファイルを作成して記録媒体に記録する請求項１に記載の動画再生装置。
【請求項５】
前記サムネイル表示手段は、各画像群の先頭の静止画像のサムネイルを作成する請求項１乃至請求項４の何れかに記載の動画再生装置。
【請求項６】
前記サムネイル表示手段は、
記録媒体に記録されている複数の動画について夫々、作成された複数枚のサムネイルを記録媒体に記録する画像処理手段と、
ユーザによるサムネイル表示操作に応じて、記録媒体に記録されている複数の動画について夫々、前記作成された複数枚のサムネイルの中の１枚のサムネイルを記録媒体から読み出して画像表示装置に表示する第１表示処理手段と、
記録媒体に記録されている複数の動画のそれぞれについてのサムネイルが画像表示装置に表示されている状態でサムネイル選択操作が行なわれたとき、記録媒体に記録されている複数の動画の中から、選択された１枚のサムネイルに応じた１つの動画を特定する動画特定手段と、
特定された動画について作成された複数枚のサムネイルを記録媒体から読み出して画像表示装置に表示する第２表示処理手段
とを具え、前記消去手段は、前記特定された動画を対象として前記消去動作を実行する請求項１乃至請求項５の何れかに記載の動画再生装置。
【発明の詳細な説明】
【技術分野】
【０００１】
本発明は、記録媒体に記録されている動画を再生して画像表示装置に表示することが可能な動画再生装置に関するものである。
【背景技術】
【０００２】
従来、ＣＣＤ(固体撮像素子)などの撮像装置によって撮影した動画をデジタルデータとして記録媒体に記録することが可能なデジタルカメラが知られている。
この種のデジタルカメラにおいては、ユーザにより動画撮影開始操作が行なわれると、撮影によって得られた動画の画像データが、デジタルデータに変換された後、周知の圧縮方式により圧縮されて記録媒体に記録されると共に、動画を構成する複数枚の静止画像の内、先頭の１枚の静止画像から１枚のサムネイル(縮小画像)が作成されて記録媒体に記録される。尚、サムネイル作成方法としては、１つの動画について複数枚のサムネイルを作成する方法も知られている(特許文献１)。
その後、ユーザは記録媒体に記録されている複数の動画の中から所望の１つの動画をＬＣＤ(液晶ディスプレイ)等の画像表示装置に表示させんとする際には、先ず、各動画について作成されたサムネイルを含む選択画面を表示させ、次に、この中から目的の動画についてのサムネイルを選択することによって、目的の動画を画像表示装置に表示させる。
【０００３】
ところで、出来るだけ多数の動画を１枚の記録媒体に記録するために、既に記録媒体に記録されている動画の圧縮画像データを読み出して伸長し、より高い圧縮率で圧縮して再び記録媒体に記録するデジタルカメラが提案されている(特許文献２)。
又、パーソナルコンピュータを用いて、キーボードやマウスの操作により、既に記録媒体に記録されている動画の不要な部分を消去することが行なわれているが、パーソナルコンピュータでの作業が面倒である問題や、動画を部分的に消去するための操作が初心者にとって困難である問題があった。
そこで、簡易な操作によって動画を部分的に消去することが可能なデジタルカメラが提案されている(特許文献３及び４)。該デジタルカメラにおいては、ユーザは方向指示ボタンを繰り返し押下することによって動画ファイルを構成する複数枚の静止画像を順次ＬＣＤに表示させ、編集点となる静止画像がＬＣＤに表示された時点で画像消去のための操作を行なうことによって、前記動画ファイルの内、該静止画像から前の前半部分或いは該静止画像から後ろの後半部分を消去することが出来る。
【０００４】
尚、上記デジタルカメラ以外に、静止画像を効率的に消去することが可能なデジタルカメラが提案されている(特許文献５)。
【特許文献１】特開平１１−２８４９４８号公報
【特許文献２】特開平１０−５６６１２号公報
【特許文献３】特願平１１−２７５５１２号公報
【特許文献４】特開２０００−１１５６８５号公報
【特許文献５】特開２００１−２４９７１号公報
【発明の開示】
【発明が解決しようとする課題】
【０００５】
しかしながら、動画を部分的に消去することが可能な従来のデジタルカメラにおいては、動画の中間部分を簡単に消去することが出来ない問題があった。
そこで本発明の目的は、１つの動画の中間部分を簡単に消去することが出来る動画再生装置を提供することである。
【課題を解決するための手段】
【０００６】
本発明に係る動画再生装置は、記録媒体に記録されている動画を再生して画像表示装置に表示する画像処理回路を具えている。そして、該画像処理回路は、
１つの動画を構成する複数枚の静止画像を複数の画像群に分けて、画像群毎に１枚の静止画像のサムネイルを作成し、作成した複数枚のサムネイルを画像表示装置に表示するサムネイル表示手段と、
前記複数枚のサムネイルが画像表示装置に表示されている状態でサムネイル選択操作が行なわれたとき、前記複数の画像群の中から、選択された１或いは複数枚のサムネイルに応じた１或いは複数の画像群を特定する画像群特定手段と、
前記１つの動画を構成する複数枚の静止画像から、特定された１或いは複数の画像群に属する複数枚の静止画像を消去する消去手段
とを具えている。
【０００７】
本発明に係る動画再生装置においては、１つの動画を構成する複数枚の静止画像が複数の画像群に分けられて、画像群毎に１枚の静止画像、例えば先頭の静止画像のサムネイルが作成される。そして、この様にして作成された複数枚のサムネイルが画像表示装置に表示される。
この状態でユーザが画像表示装置に表示されている複数枚のサムネイルの中から１或いは複数枚のサムネイルを選択する操作を行なうと、１つの動画を構成する複数の画像群から、選択された１或いは複数枚のサムネイルに応じた１或いは複数の画像群に属する複数枚の静止画像が消去される。ここで、静止画像の消去方法としては、消去せんとする静止画像を消失させ或は上書き可能状態とすることによって元の動画ファイルを更新する方法や、後述の如く消去せんとする静止画像以外の静止画像から新たな動画ファイルを作成して記録する方法を採用することが出来る。
上記動画再生装置においては、１つの動画を構成する複数の画像群の内、中間位置の１或いは複数の画像群についてのサムネイルを選択すれば、該動画の中間部分を消去することが出来る。
【０００８】
具体的には、前記消去手段は、消去動作として、１つの動画を構成する複数の画像群の内、前記特定された１或いは複数の画像群を除く他の１或いは複数の画像群から１つの動画ファイルを作成して記録媒体に記録する。
ここで、新たに作成された１つの動画ファイルは、元の動画ファイルの記録領域に上書き記録される。或いは、新たに作成された１つの動画ファイルは、元の動画ファイルの記録領域とは異なる別の記録領域に記録される。
【０００９】
又、具体的には、前記消去手段は、消去動作として、１つの動画を構成する複数の画像群の内、前記特定された１或いは複数の画像群を除く他の複数の画像群を、前記特定された画像群の数及び１つの動画における位置に応じて複数のブロックに分け、ブロック毎に１つの動画ファイルを作成して記録媒体に記録する。例えば、１つの動画を構成する複数の画像群の内、中間位置の１つの画像群についてのサムネイルが選択された場合には、選択されたサムネイルに応じた画像群よりも前の１或いは複数の画像群を１つのブロックとして１つの動画ファイルが作成されると共に、選択されたサムネイルに応じた画像群よりも後の１或いは複数の画像群を１つのブロックとして１つの動画ファイルが作成される。
【００１０】
又、具体的には、前記消去手段は、ユーザにより１つの動画ファイルを作成するための操作が行なわれたとき、消去動作として、１つの動画を構成する複数の画像群の内、前記特定された１或いは複数の画像群を除く他の１或いは複数の画像群から１つの動画ファイルを作成して記録媒体に記録する一方、ユーザにより複数の動画ファイルを作成するための操作が行なわれたときには、前記特定された１或いは複数の画像群を除く他の複数の画像群を、前記特定された画像群の数及び１つの動画における位置に応じて複数のブロックに分け、ブロック毎に１つの動画ファイルを作成して記録媒体に記録する。
【００１１】
上記具体的構成においては、ユーザにより１つの動画ファイルを作成するための操作が行なわれたときには、１つの動画を構成する複数の画像群の内、ユーザにより選択された１或いは複数枚のサムネイルに応じた画像群を除く他の画像群から１つの動画ファイルが作成されて記録媒体に記録される。
一方、ユーザにより複数の動画ファイルを作成するための操作が行なわれたときには、１つの動画を構成する複数の画像群の内、ユーザにより選択された１或いは複数枚のサムネイルに応じた画像群を除く他の複数の画像群が、選択された画像群の数及び１つの動画における位置に応じて複数のブロックに分けられ、ブロック毎に１つの動画ファイルが作成されて記録媒体に記録される。
そして、上述の如く作成された１或いは複数の動画ファイルは、元の動画ファイルの記録領域に上書き記録される。或いは、新たに作成された１或は複数の動画ファイルは、元の動画ファイルの記録領域とは異なる別の記録領域に記録される。
【００１２】
更に具体的には、前記サムネイル表示手段は、
記録媒体に記録されている複数の動画について夫々、作成された複数枚のサムネイルを記録媒体に記録する画像処理手段と、
ユーザによるサムネイル表示操作に応じて、記録媒体に記録されている複数の動画について夫々、前記作成された複数枚のサムネイルの中の１枚のサムネイルを記録媒体から読み出して画像表示装置に表示する第１表示処理手段と、
記録媒体に記録されている複数の動画のそれぞれについてのサムネイルが画像表示装置に表示されている状態でサムネイル選択操作が行なわれたとき、記録媒体に記録されている複数の動画の中から、選択された１枚のサムネイルに応じた１つの動画を特定する動画特定手段と、
特定された動画について作成された複数枚のサムネイルを記録媒体から読み出して画像表示装置に表示する第２表示処理手段
とを具え、前記消去手段は、前記特定された動画を対象として前記消去動作を実行する。
【００１３】
上記具体的構成においては、ユーザがサムネイル表示操作を行なうと、記録媒体に記録されている複数の動画のそれぞれについてのサムネイルが画像表示装置に表示され、続いて、ユーザが画像表示装置に表示されている複数枚のサムネイルの中から１枚のサムネイルを選択すると、選択されたサムネイルに応じた動画についての複数枚のサムネイルが画像表示装置に表示される。その後、ユーザが、画像表示装置に表示されている複数枚のサムネイルの中から１或いは複数枚のサムネイルを選択すると、前記動画を構成する複数枚の静止画像から、選択された１或いは複数枚のサムネイルに応じた画像群に属する複数枚の静止画像が消去される。
【発明の効果】
【００１４】
本発明に係る動画再生装置によれば、１つの動画の中間部分を簡単に消去することが出来る。
【発明を実施するための最良の形態】
【００１５】
以下、本発明をデジタルカメラに実施した形態につき、図面に沿って具体的に説明する。
本発明に係るデジタルカメラは、図１に示す如く、フォーカスレンズ(１)と、該レンズ(１)を通過した光を光電変換するＣＣＤ(２)と、相関二重サンプリング及び自動ゲイン制御を行なうＣＤＳ／ＡＧＣ回路(３)と、Ａ／Ｄ変換処理を行なうＡ／Ｄ変換器(４)と、圧縮処理や伸長処理等の種々の信号処理を行なう信号処理回路(５)と、Ｄ／Ａ変換処理を行なうＤ／Ａ変換器(６)と、撮影された画像を表示するためのＬＣＤ(７)とを具えており、前記信号処理回路(５)には、画像データを記録するためのメモリカード(８)が接続されている。
又、前記信号処理回路(５)には、マイクロコンピュータからなる制御回路(９)が接続されており、該制御回路(９)によって信号処理回路(５)の動作が制御されている。制御回路(９)には、複数の操作キーからなる入力装置(10)が接続されている。
【００１６】
上記デジタルカメラは、ＣＣＤ(２)によって撮影された画像をメモリカード(８)に記録することが可能な記録モードと、メモリカード(８)に記録されている画像を再生してＬＣＤ(７)に表示することが可能な再生モードと、メモリカード(８)に記録されている画像を編集することが可能な編集モードとの間で切換え設定が可能である。
記録モードでは、フォーカスレンズ(１)を通過した光がＣＣＤ(２)にて光電変換され、ＣＣＤ(２)の出力信号はＣＤＳ／ＡＧＣ回路(３)を経てＡ／Ｄ変換器(４)に供給され、デジタル画像データが作成される。該デジタル画像データは、信号処理回路(５)にてＬＣＤ表示のための画像処理を受けた後、Ｄ／Ａ変換器(６)にてアナログの画像信号に変換されてＬＣＤ(７)に供給される。この結果、ＣＣＤ(２)によって撮影された画像(動画)がＬＣＤ(７)にリアルタイムで表示されることになる。
【００１７】
この状態で、ユーザが入力装置(10)に対し動画撮影を開始するための操作を行なうと、制御回路(９)はこれを検知して、信号処理回路(５)に対して記録指令を発する。信号処理回路(５)は、該指令を受けて、Ａ／Ｄ変換器(４)から得られるデジタル画像データに対し画像記録のための画像処理及び圧縮処理を施す動作を開始し、これによって得られる複数フレーム分の圧縮画像データを１つのファイルとしてメモリカード(８)に書き込む。この様にして、複数枚の静止画像からなる１つの動画がメモリカード(８)に記録されることになる。
又、信号処理回路(５)は、Ａ／Ｄ変換器(４)から得られる複数フレーム分の画像データを複数の画像群に均等に分けて、各画像群の先頭フレームの画像データからサムネイルを作成する。そして、作成した複数枚のサムネイルをそれぞれ圧縮した後、メモリカード(８)に書き込む。この様にして、１つの動画を構成する複数枚の静止画像が複数の画像群に均等に分けられ、各画像群の先頭画像のサムネイルが動画と共にメモリカード(８)に記録されることになる。
図４は、９０枚の静止画像から構成される動画の一例を表わしている。尚、図４においては、各画像群の先頭画像以外の画像は省略して白抜きの四角形で表わしている。この例では、９０枚の静止画像が１０枚ずつ９つの画像群１〜９に分けられ、各画像群の先頭画像、即ち画像番号１、１１、２１、３１、４１、５１、６１、７１及び８１の静止画像のそれぞれのサムネイルが作成されてメモリカード(８)に記録される。
【００１８】
再生モードでは、ユーザが入力装置(10)に対してサムネイル表示操作を行なうと、図１の制御回路(９)はこれを検知して、信号処理回路(５)に対しサムネイル表示指令を発する。信号処理回路(５)は、該指令を受けて、メモリカード(８)に記録されている各動画の先頭画像のサムネイルを読み出して伸長し、これによって得られる画像データから複数枚のサムネイルを一覧表示するための画面データを作成する。該画面データは、Ｄ／Ａ変換器(６)にてアナログの画面信号に変換されてＬＣＤ(７)に供給される。この結果、メモリカード(８)に記録されている各動画の先頭画像のサムネイルから構成される図２に示す如き動画選択画面がＬＣＤ(７)に表示されることになる。
例えば、図４に示す動画がメモリカード(８)に記録されている場合には、図２の如く画像番号１の静止画像のサムネイルを含む動画選択画面がＬＣＤ(７)に表示される。
【００１９】
動画選択画面がＬＣＤ(７)に表示されている状態で、ユーザが入力装置(10)に対して１枚のサムネイルを選択する操作を行なうと、図１の制御回路(９)はこれを検知して、信号処理回路(５)に対し選択されたサムネイルの情報を供給すると共に画像データの読出しを指令する。信号処理回路(５)は、該指令を受けて、選択されたサムネイルに応じた動画の圧縮画像データをメモリカード(８)から読み出して伸長する。信号処理回路(５)から得られる複数フレーム分の画像データは、Ｄ／Ａ変換器(６)にてアナログの画像信号に変換されてＬＣＤ(７)に供給される。この結果、メモリカード(８)に記録されている複数の動画の内、ユーザにより選択されたサムネイルに応じた動画がＬＣＤ(７)に表示されることになる。
例えば、図２に示す動画選択画面がＬＣＤ(７)に表示されている状態でユーザが第２行目の第２列目のサムネイルを選択すると、図４に示す動画がＬＣＤ(７)に映し出される。
【００２０】
本発明に係るデジタルカメラは、編集モードにおいてメモリカード(８)に記録されている動画を部分的に消去することが可能であって、編集モードでは、ユーザが入力装置(10)に対してサムネイル表示操作を行なうと、上述の再生モードでサムネイル表示操作が行なわれた場合と同様にして、図２に示す如き動画選択画面がＬＣＤ(７)に表示される。
【００２１】
この状態で、ユーザが入力装置(10)に対して１枚のサムネイルを選択する操作を行なうと、図１の制御回路(９)はこれを検知して、信号処理回路(５)に対し選択されたサムネイルの情報を供給すると共に画像データ及びサムネイルの読出しを指令する。信号処理回路(５)は、該指令を受けて、選択されたサムネイルに応じた動画の圧縮画像データをメモリカード(８)から読み出して伸長し、これによって得られる複数フレーム分の画像データを内蔵メモリ(図示省略)に格納する。
又、信号処理回路(５)は、前記読出し指令を受けて、選択されたサムネイルに応じた動画についての複数枚のサムネイルをメモリカード(８)から読み出して伸長し、これによって得られる画像データから複数枚のサムネイルを一覧表示するための画面データを作成する。該画面データは、Ｄ／Ａ変換器(６)にてアナログの画面信号に変換されてＬＣＤ(７)に供給される。この結果、図３に示す如く、ユーザにより選択されたサムネイルに応じた動画についての複数枚のサムネイルからなる消去部分選択画面がＬＣＤ(７)に表示されることになる。
例えば、図２に示す動画選択画面がＬＣＤ(７)に表示されている状態で、第２列目の第２行目のサムネイルを選択すると、図３及び図４に示す如く画像番号１、１１、２１、３１、４１、５１、６１、７１及び８１の静止画像のサムネイルからなる消去部分選択画面がＬＣＤ(７)に表示される。
【００２２】
消去部分選択画面がＬＣＤ(７)に表示されている状態で、ユーザが入力装置(10)に対して１或いは複数枚のサムネイルを選択する操作を行なった後、消去操作を行ない、更に１つの動画ファイルを作成するための操作を行なうと、制御回路(９)はこれを検知して、信号処理回路(５)に対し選択された１或いは複数枚のサムネイルの情報を供給すると共に１つの動画ファイルを作成すべき旨を指令する。信号処理回路(５)は、該指令を受けて、内蔵メモリに格納されている複数フレーム分の画像データの内、選択された１或いは複数枚のサムネイルに応じた画像群を除く他の画像群に属する画像データから１つの動画ファイルを作成する。この際、該動画ファイルを構成する複数枚の静止画像には、画像番号として、新たな連続番号が付与される。
例えば、図３に示す消去部分選択画面が表示されている状態でユーザが第２行目の第１列目及び第２列目のサムネイルを選択する操作を行なった場合には、図４に示す９０枚の静止画像の内、選択された２枚のサムネイルに応じた画像群、即ち画像群４、５を除く他の画像群１〜３、６〜９に属する７０枚の静止画像から図５に示す１つのファイルが作成される。
【００２３】
その後、ユーザが入力装置(10)に対して元の動画ファイルを消去するための操作を行なうと、制御回路(９)はこれを検知して、信号処理回路(５)に対しメモリカード(８)への上書き記録を指令し、信号処理回路(５)は、該指令を受けて、メモリカード(８)の記録領域の内、元の動画ファイルの記録領域に上述の如く新たに作成した１つの動画ファイルを上書き記録する。この様にして、図２に示す如き動画選択画面にて選択された動画を構成する複数の画像群の内、図３に示す如き消去部分選択画面にて選択された画像群を除く他の画像群から新たな１つの動画ファイルが作成され、該動画ファイルが元の動画ファイルの記録領域に上書き記録されることになる。
これに対し、ユーザが入力装置(10)に対して元の動画ファイルを残存させるための操作を行なうと、制御回路(９)はこれを検知して、信号処理回路(５)に対しメモリカード(８)の別領域への記録を指令し、信号処理回路(５)は、該指令を受けて、メモリカード(８)の記録領域の内、元の動画ファイルの記録領域とは別の領域に上述の如く新たに作成した１つの動画ファイルを記録する。この様にして、図２に示す如き動画選択画面にて選択された動画を構成する複数の画像群の内、図３に示す如き消去部分選択画面にて選択された画像群を除く他の画像群から新たな１つの動画ファイルが作成され、該動画ファイルが元の動画ファイルとは別の記録領域に記録されることになる。
【００２４】
一方、図３に示す如き消去部分選択画面がＬＣＤ(７)に表示されている状態で、ユーザが入力装置(10)に対して１或いは複数枚のサムネイルを選択する操作を行なった後、消去操作を行ない、更に複数の動画ファイルを作成するための操作を行なうと、制御回路(９)はこれを検知して、信号処理回路(５)に対し選択された１或いは複数枚のサムネイルの情報を供給すると共に、複数の動画ファイルを作成すべき旨を指令する。信号処理回路(５)は、該指令を受けて、内蔵メモリに格納されている複数フレーム分の画像データの内、選択された１或いは複数枚のサムネイルに応じた画像群を除く他の画像群に属する画像データを、選択された画像群の数及び１つの動画における位置に応じて複数のブロックに分け、ブロック毎に１つの動画ファイルを作成する。この際、各動画ファイルを構成する複数枚の静止画像には、画像番号として、新たな連続番号が付与される。
例えば、図３に示す消去部分選択画面が表示されている状態でユーザが第２列目の第１行目及び第２行目のサムネイルを選択する操作を行なった場合には、図４及び図６(ａ)(ｂ)の如く、ユーザにより選択された画像群４よりも前の画像群１〜３に属する複数枚の静止画像を１つのブロックとして１つの動画ファイルが作成されると共に、ユーザにより選択された画像群５よりも後の画像群６〜９に属する複数枚の静止画像を１つのブロックとして１つの動画ファイルが作成される。
【００２５】
その後、ユーザが入力装置(10)に対して元の動画ファイルを消去するための操作を行なうと、制御回路(９)はこれを検知して、信号処理回路(５)に対しメモリカード(８)への上書き記録を指令し、信号処理回路(５)は、該指令を受けて、メモリカード(８)の記録領域の内、元の画像ファイルの記録領域に上述の如く新たに作成した複数の動画ファイルを上書き記録する。この様にして、図２に示す如き動画選択画面にて選択された動画を構成する複数の画像群の内、図３に示す如き消去部分選択画面にて選択された画像群を除く他の画像群から新たな複数の動画ファイルが作成され、これらの動画ファイルが元の動画ファイルの記録領域に上書き記録されることになる。
これに対し、ユーザが入力装置(10)に対して元の動画ファイルを残存させるための操作を行なうと、制御回路(９)はこれを検知して、信号処理回路(５)に対しメモリカード(８)の別領域への記録を指令し、信号処理回路(５)は、該指令を受けて、メモリカード(８)の記録領域の内、元の動画ファイルの記録領域とは別の領域に上述の如く新たに作成した複数の動画ファイルを記録する。この様にして、図２に示す如き動画選択画面にて選択された動画を構成する複数の画像群の内、図３に示す如き消去部分選択画面にて選択された画像群を除く他の画像群から新たな複数の動画ファイルが作成され、これらの動画ファイルが元の動画ファイルとは別の記録領域に記録されることになる。
【００２６】
図７及び図８は、編集モードにおいて上述の信号処理回路(５)及び制御回路(７)によって実行される部分消去手続きを表わしている。先ず図７のステップＳ１にて、ユーザによりサムネイル表示操作が行なわれたか否かを判断し、ノーと判断された場合はステップＳ１にて同じ判断を繰り返す一方、イエスと判断された場合には、ステップＳ２に移行して、図２に示す如き動画選択画面をＬＣＤ(７)に表示した後、ステップＳ３では、ユーザにより１枚のサムネイルを選択する操作が行なわれたか否かを判断する。
動画選択画面がＬＣＤ(７)に表示されている状態でユーザにより１枚のサムネイルを選択する操作が行なわれると、ステップＳ３にてイエスと判断されてステップＳ４に移行し、図３に示す如き消去部分選択画面をＬＣＤ(７)に表示した後、ステップＳ５では、ユーザにより１或いは複数枚のサムネイルが選択されたか否かを判断する。
【００２７】
消去部分選択画面がＬＣＤ(７)に表示されている状態でユーザにより１或いは複数枚のサムネイルを選択する操作が行なわれると、ステップＳ５にてイエスと判断されてステップＳ６に移行し、ユーザにより消去操作が行なわれたか否かを判断する。ここで、ノーと判断された場合には手続きを終了する。
【００２８】
これに対し、ユーザにより消去操作が行なわれてステップＳ６にてイエスと判断された場合には、図８のステップＳ７に移行して、ユーザにより１つの動画ファイルを作成するための操作が行なわれたか否かを判断し、ノーと判断された場合には、ステップＳ８に移行して、前記ステップＳ５にて選択された１或いは複数枚のサムネイルに応じた画像群を除く他の画像群を複数のブロックに分けて複数の動画ファイルを作成する一方、ステップＳ７にてイエスと判断された場合には、ステップＳ９に移行して、前記ステップＳ５にて選択された１或いは複数枚のサムネイルに応じた画像群を除く他の画像群から１つの動画ファイルを作成する。
【００２９】
その後、ステップＳ１０では、ユーザにより元の動画ファイルを消去するための操作が行なわれたか否かを判断し、イエスと判断された場合には、ステップＳ１１に移行し、メモリカード(８)の記録領域の内、元の動画ファイルの記録領域に上述の如く作成された１或いは複数の動画ファイルを上書き記録して、手続きを終了する。
一方、ユーザにより元の動画ファイルを残存させるための操作が行なわれた場合には、ステップＳ１０にてノーと判断されてステップＳ１２に移行し、メモリカード(８)の記録領域の内、元の動画ファイルとは別の記録領域に上述の如く作成された１或いは複数の動画ファイルを記録して、手続きを終了する。
【００３０】
本発明に係るデジタルカメラにおいては、ユーザは、図３に示す如き消去部分選択画面がＬＣＤ(７)に表示されている状態で、１つの動画を構成する複数の画像群の内、中間位置の画像群についてのサムネイルを選択すれば、該動画の中間部分を簡単に消去することが出来る。
【００３１】
尚、本発明の各部構成は上記実施の形態に限らず、特許請求の範囲に記載の技術的範囲内で種々の変形が可能である。
例えば、新たに作成された１或いは複数の動画ファイルを元の動画ファイルの記録領域とは異なる別の記録領域に記録して、元の動画ファイルを消去する構成を採用することも可能である。
又、上記実施の形態においては、１つの動画を構成する複数枚の静止画像を均等に複数の画像群に分けて、１つの動画について複数枚のサムネイルを作成しているが、シーン別に分けて複数枚のサムネイルを作成する方法等、その他の周知のサムネイル作成方法を採用することが出来る。
更に、上記実施の形態においては、本発明をデジタルカメラに実施しているが、ＤＶＤプレーヤやＨＤプレーヤ等、種々の動画再生装置に実施することが可能である。
【図面の簡単な説明】
【００３２】
【図１】本発明を実施したデジタルカメラの構成を表わすブロック図である。
【図２】ＬＣＤに表示される動画選択画面の一例を表わす図である。
【図３】ＬＣＤに表示される消去部分選択画面の一例を表わす図である。
【図４】一連の動画の構成例を表わす図である。
【図５】前記一連の動画の編集例を表わす図である。
【図６】前記一連の動画の他の編集例を表わす図である。
【図７】上記デジタルカメラにおいて実行される部分消去手続きの前半を表わすフローチャートである。
【図８】上記手続きの後半を表わすフローチャートである。
【符号の説明】
【００３３】
(１)  フォーカスレンズ
(２)  ＣＣＤ
(３)  ＣＤＳ／ＡＧＣ回路
(４)  Ａ／Ｄ変換器
(５)  信号処理回路
(６)  Ｄ／Ａ変換器
(７)  ＬＣＤ
(８)  メモリカード
(９)  制御回路
(10)  入力装置
【図１】
2005167640.tif 000003
【図２】
2005167640.tif 000004
【図３】
2005167640.tif 000005
【図４】
2005167640.tif 000006
【図５】
2005167640.tif 000007
【図６】
2005167640.tif 000008
【図７】
2005167640.tif 000009
【図８】
2005167640.tif 000010